(57)【特許請求の範囲】
【請求項１】
略Ｕ字状をした接触部の一端部から先端部に端子部を有する端子板部を側方に向けて連出してコンタクトを構成し、ボディの一側面である第１の側面に接触部露出用開口部を設けると共に上記接触部露出用開口部に隣接する他側面である第２の側面にコンタクト嵌め込み用開口部を有するコンタクト収納溝部を形成し、このコンタクト収納溝部を略Ｕ字状をしたコンタクトの接触部を嵌め込むための接触部収納溝部と、コンタクトの端子板部を嵌め込むための端子板部収納溝部とが連通する略Ｌ状に形成し、接触部収納溝部を接触部露出用開口部に連通させ、第２の側面に設けたコンタクト嵌め込み用開口部からコンタクト収納溝に嵌め込まれたコンタクトの接触部を接触部収納溝部内に収納すると共に端子板部を端子板部収納溝部に収納し、接触部収納溝部に収納した接触部を接触部露出用開口部に対向させ、端子板部収納溝部に収納した端子板部の先端部の端子部をコンタクト嵌め込み用開口部から突出させ、コンタクトが一枚の金属フープ材を屈曲切断して形成されたものであり、略Ｕ字状をした接触部の端子板部を連出した方と反対側の片の先端部とＵ状屈曲基部とを除く部分が接触部露出用開口部に露出して成ることを特徴とするコネクター。
【発明の詳細な説明】
【０００１】
【発明の属する技術分野】
本発明は、コネクターに関し、詳しくはコネクターにおけるボディへのコンタクトの組み込み構造に関するものである。
【０００２】
【従来の技術】
従来から携帯電話などの電子、電気機器におけるコネクターはボディに信号コンタクトや充電コンタクト等のコンタクトを組み込んで構成してある。
【０００３】
図１１（ｂ）には従来のコネクターＡが示してあり、ボディ５にコンタクト４が組み込んである状態を示してあり、図１１（ａ）にはボディ５にコンタクト４を組み込んでいる途中の状態が示してある。
【０００４】
従来のコンタクト４は金属フープ材から形成して折り切りして得るもので、略コ字状をした接触部１の一端部から側方に先端部に端子部２を有する略レ字状をした弾性を有する端子板部３を連出し、略コ字状をした接触部１の他端部を折り返して支持部４０を設けて構成してあり、支持部４０の先端はコンタクト４を金属フープ材から形成して折り切りした切断端部となっている。ボディ５の一側面である第１の側面に接触部露出用開口部７を設け、ボディ５の接触部露出用開口部７の背部に接触部露出用開口部７と連通するコンタクト収納溝部１０を形成してある。コンタクト収納溝部１０は略コ字状の接触部１が収納される略コ字状をした接触部収納溝部１１と、略コ字状をした接触部収納溝部１１の一端部に連通した略レ字状をした端子板部３を収納するための端子板部収納溝部１２とで構成してあり、略コ字状をした接触部収納溝部１１の他端部の溝部は支持部嵌め込み溝部４１となっている。上記接触部収納溝部１１は接触部露出用開口部７を形成したボディ５の一側面である第１の側面６に隣接する他側面である第２の側面８に開口し、この第２の側面８の開口部が端子部露出用開口部４３となっている。
【０００５】
そして、従来にあっては、上記の構成のコンタクト４をボディ５に設けたコンタクト収納溝部にはめ込んで収納するには、図１１（ａ）の矢印のようにコンタクト４をボディ５の第１の側面６に開口した接触部露出用開口部７から嵌め込み、コンタクト収納溝部１０の接触部収納溝部１１に接触部１を嵌め込み収納し、端子板部３を端子板部収納溝部１２に嵌め込み収納し、支持部４０を支持部嵌め込み溝部４１に嵌め込んで収納するものである。
【０００６】
ところが、図１１（ａ）の矢印のようにコンタクト４をボディ５の第１の側面６の接触部露出用開口部７から接触部収納溝部１１内に嵌め込む際、略レ字状をした端子板部３の先端部の端子部２が接触部露出用開口部７の縁部に当たってしまい、成形品よりなるボディ５の成形粉が端子部２に付着する可能性がある。このため、端子部２の高さを高くすると、上記嵌め込みの際に端子部２が接触部露出用開口部７の縁部に強く擦れてしまうので、端子部２の高さを高くするのが難しく、このため端子板部３の撓み量Ｌ及び端子部２の接触力が確保できないという問題がある。
【０００７】
また、略コ字状の接触部１の一端部を支持するために略コ字状をした接触部１の他端部を折り返した支持部４０を支持部嵌め込み溝部４１にはめ込んだ状態で支持部４０の先端の折り切りした切断端部が接触部露出用開口部７に露出し、このようにフープ材の折り切り跡が見えてしまって外観が見苦しいという問題があり、更に、支持部４０の上記折り返し先端である切断端部（フープ材の折り切り跡）が露出するので、この折り返し先端に細いものが引っ掛かった時に接触部１がめくれ上がる可能性がある。
【０００８】
【発明が解決しようとする課題】
本発明は上記の点に鑑みてなされたものであり、コンタクトの端子部の撓み量及び接触力が十分確保でき、また、接触部にコンタクトの折り切り跡が見えずに外観がよく、また、接触部がめくれ上がらないようにすることができるコネクターを提供することを課題とするものである。
【０００９】
【課題を解決するための手段】
上記課題を解決するために本発明に係るコネクターは、略Ｕ字状をした接触部１の一端部から先端部に端子部２を有する端子板部３を側方に向けて連出してコンタクト４を構成し、ボディ５の一側面である第１の側面６に接触部露出用開口部７を設けると共に上記接触部露出用開口部７に隣接する他側面である第２の側面８にコンタクト嵌め込み用開口部９を有するコンタクト収納溝部１０を形成し、このコンタクト収納溝部１０を略Ｕ字状をしたコンタクト４の接触部１を嵌め込むための接触部収納溝部１１と、コンタクト４の端子板部３を嵌め込むための端子板部収納溝部１２とが連通する略Ｌ状に形成し、接触部収納溝部１１を接触部露出用開口部７に連通させ、第２の側面８に設けたコンタクト嵌め込み用開口部９からコンタクト収納溝部１０に嵌め込まれたコンタクト４の接触部１を接触部収納溝部１１内に収納すると共に端子板部３を端子板部収納溝部１２に収納し、接触部収納溝部１１に収納した接触部１を接触部露出用開口部７に対向させ、端子板部収納溝部１２に収納した端子板部３の先端部の端子部２をコンタクト嵌め込み用開口部９から突出させて成ることを特徴とするものである。このような構成とすることで、コンタクト４を接触部露出用開口部７に隣接する他側面である第２の側面８に設けたコンタクト嵌め込み用開口部９から嵌め込むことで、コンタクト４の接触部１を第１の側面６に設けた接触部露出用開口部７に露出させることができると共に端子板部収納溝部１２に端子板部３を収納して端子部２をコンタクト嵌め込み用開口部９から突出させることができ、更に、このコンタクト４の嵌め込みに当たって端子部２がボディ５に擦れることがないものであり、これにより端子部２の高さを高くできるものである。
【００１０】
また、コンタクト４が一枚の金属フープ材を屈曲切断して形成されたものであり、略Ｕ字状をした接触部１の端子板部３を連出した方と反対側の片１ａの先端部とＵ状屈曲基部１ｂとを除く部分が接触部露出用開口部７に露出している。このような構成とすることで、接触部露出用開口部７からコンタクト４の切断端部である接触部１の先端が露出せず、また、接触部露出用開口部７から接触部１の先端及びＵ状屈曲基部１ｂが露出しないので、接触部１に細いものが引っ掛かるおそれがないものである。
【００１１】
【発明の実施の形態】
以下、本発明を添付図面に示す実施形態に基づいて説明する。
【００１２】
本発明のコネクターＡは携帯電話などの電子、電気機器に組み込まれて使用されるものであり、このコネクターＡはボディ５にコンタクト４を組み込んで構成してある。コンタクト４としては信号用のコンタクト４ａと充電用のコンタクト４ｂとがある。
【００１３】
コンタクト４は、略Ｕ字状をした接触部１の一端部から略レ字状をした端子板部３を側方に向けて連出して構成してあり、略レ字状をした端子板部３の先端部には端子部２が設けてある。このような構成のコンタクト４は金属フープ材１３を図９のように屈曲すると共に打ち抜いて多数のコンタクト４を同時に形成するものであり、コンタクト４部分を金属フープ材１３から図９（ｃ）の折りきり部分３４で折り切りして切断することで、個々のコンタクト４を得るものである。
【００１４】
ボディ５は一側面に複数の接触部露出用開口部７を設けてあり、信号用の接触部露出用開口部７ａと充填用の接触部露出用開口部７ｂとの２種類がある。本発明においてはこの接触部露出用開口部７を設けた一側面を第１の側面６とする。
【００１５】
ボディ５は合成樹脂の成形品であり、ボディ５には複数のコンタクト収納溝部１０が形成してあり、コンタクト収納溝部１０としては図５に示すように信号用のコンタクト収納溝部１０ａと充電用のコンタクト収納溝部１０ｂとの２種類がある。このコンタクト収納溝部１０は上記接触部露出用開口部７に隣接する他側面に開口していて該コンタクト収納溝部１０の開口がコンタクト嵌め込み用開口部９となっている。そして本発明においてはこのコンタクト嵌め込み用開口部９を設けたボディ５の他側面を第２の側面８とする。コンタクト収納溝部１０は略Ｕ字状をしたコンタクト４の接触部１を嵌め込むための接触部収納溝部１１と、コンタクト４の端子板部３を嵌め込むための端子板部収納溝部１２とが連通する略Ｌ状に形成してある。また、接触部収納溝部１１を接触部露出用開口部７に連通させてある。ここで、接触部収納溝部１１は接触部露出用開口部７に対して奥側の端部及びコンタクト嵌め込み用開口部９側の端部を除いた部分が露出している。言い換えれば接触部収納溝部１１の奥側の端部及びコンタクト嵌め込み用開口部９側の端部の側部にはボディ５に設けた覆い部１４が設けてある。
【００１６】
ボディ５のコンタクト収納溝部１０にコンタクト４を嵌め込んで収納するには以下のようにして行うものである。
【００１７】
すなわち、図１（ａ）に示すようにボディ５の第２の側面８に設けたコンタクト嵌め込み用開口部９からコンタクト４を挿入して図１（ｂ）のようにコンタクト収納溝部１０に嵌め込むものである。この場合、コンタクト４の略Ｕ字状をした接触部１を接触部収納溝部１１内に収納して接触部１を接触部露出用開口部７に対向させ、略レ字状をした端子板部３を端子板部収納溝部１２に収納して端子板部３の先端部の端子部２をコンタクト嵌め込み用開口部９から突出させるものである。ここで、図１（ａ）のようにして略Ｕ字状をした接触部１の一端部から先端に端子部２を有する弾性を有する端子板部３を側方に向けて連出して構成したコンタクト４を、略Ｌ字状をしたコンタクト収納溝部１０に嵌め込むので、嵌め込みに当たって端子部２がボディ５に接触せず、したがって、端子部２の高さを高くしてもコンタクト４組み込み時に端子部２がボディ５に擦れることがなく、この結果、図１（ｂ）においてＬで示す端子板部３の撓み量及び端子部２の接触力を大きく確保することができるものである。
【００１８】
また、略Ｕ字状をした接触部１を接触部収納溝部１１内に嵌め込んで収納した場合、接触部１の側縁部に設けたくい込み部１５が接触部収納溝部１１の内壁面に食い込んでコンタクト４のコンタクト収納溝部１０への嵌め込み状態を保持するものであり、また、図１（ｂ）、図５に示すように、略Ｕ字状をした接触部１を接触部収納溝部１１内に嵌め込んで収納した場合、略Ｕ字状をした接触部１の端子板部３を連出した方と反対側の片１ａの先端部１ｃとＵ状屈曲基部１ｂとを除く部分が接触部露出用開口部７に露出するようになっており、Ｕ状屈曲基部１ｂ及び片１ａの先端部１ｃはいずれも接触部収納溝部１１の奥側の端部及びコンタクト嵌め込み用開口部９側の端部の側部に設けた覆い部１４により覆われて外部に露出しないようになっている。したがって、接触部露出用開口部７からコンタクト４の切断端部である接触部１の先端部１ｃが露出せず、また、接触部露出用開口部７から接触部１の先端部１ｃ及びＵ状屈曲基部１ｂが露出しないので、接触部１に細いものが引っ掛かるおそれがなくて接触部１がめくれることがないものである。
【００１９】
ところで、信号用のコンタクト４ａは多数本使用し、多数の隣接する信号用のコンタクト収納溝部１０ａにそれぞれ信号用のコンタクト４ａを嵌め込むのであるが、この際、フープ材１３から折り切りして切断した個々の信号用のコンタクト４ａを信号用のコンタクト収納溝部１０ａに嵌め込んでもよく、あるいは図９のように多数の信号用のコンタクト４ａをフープ材１３に接続した状態のまま、多数の信号用のコンタクト４ａを多数の信号用のコンタクト収納溝部１０ａにそれぞれ嵌め込み、嵌め込み後にフープ材１３から同時に多数の信号用のコンタクト４ａを折り切りして切断するようにしてもよいものである。
【００２０】
ボディ５には図３（ｂ）、図６に示すようにマイクロフォン嵌め込み溝部１６が設けてあり、ボディ５にはマイクロフォン用端子板１７が取付けてあり、図３（ａ）に示すようにマイクロフォン用端子板１７の端子部がボディ５の第２の側面８に露出している。また、ボディ５にはＤＣジャック部１８が設けてあり、ＤＣジャック部１８のＤＣジャック端子部材１９の端子部がボディ５の第２の側面８に露出している。
【００２１】
また、図２（ａ）に示すようにボディ５の第１の側面６には後述の信号用の接続プラグ２５の取付け腕２８を着脱自在に挿入するための取付け孔部２９が設けてある。
【００２２】
ボディ５の第２の側面８には更にボディ５と一体にプリント基板接続用のボス２０が設けてある。また、ボディ５の第１の側面６と第２の側面８とにそれぞれ隣接する別の一対の側面である第３の側面２１に係止部２２が設けてある。
【００２３】
上記のようにコンタクト４の端子部２、マイクロフォン用端子板１７の端子部、ＤＣジャック端子部材１９の端子部が露出した第２の側面８はプリント基板２３を取付けるためのプリント基板取付け面となっている。プリント基板２３には取付け孔２４が設けてある。
【００２４】
プリント基板２３はプリント基板取付け面である第２の側面８に当接して取付け孔２４にプリント基板接続用のボス２０を嵌め込んでボディ５にプリント基板２３を位置決めして取付けるものであり、このように位置決めすることで、プリント基板２３に設けた回路パターンに第２の側面８に露出したコンタクト４の端子部２、マイクロフォン用端子板１７の端子部、ＤＣジャック端子部材１９の端子部がそれぞれ接触するものである。
【００２５】
コネクターＡは例えば携帯電話に組み込まれるコネクターとして使用されるものであり、成形品よりなる携帯電話用のケース内にコネクターが内装される。この携帯電話用のケースは複数に分割してあり、複数に分割したケースのうちコネクターＡのボディ５の第１の側面６側を覆うケース３０には図７に示すように、係止爪３１が設けてあり、このケース３０でコネクターＡのボディ５の第１の側面６側を覆うと共に、ケース３０とコネクターＡのボディ５とで上記ボス２０に取付け孔２４を嵌め込んで位置決めしたプリント基板２３を挟み込むと共に係止爪３１をボディ５の係止部２２に係止することで、ボディ５とケース３０との接合と、プリント基板２３とボディ５との接合とをおこなっている。
【００２６】
上記のようにしてコネクターＡのボディ５の第１の側面６側を覆うケース３０を取付けると、ケース３０に設けた開口部（図示せず）にコネクターＡの信号用のコンタクト４ａの接触部１が露出する信号用の接触部露出用開口部７ａと充電用のコンタクト４ｂの充電用の接触部露出用開口部７とが露出している。また、ケース３０に設けた開口部にはＤＣジャック部１８の差し込み部が露出している。
【００２７】
したがって、図８に示すような信号用の接続プラグ２５の端子２６が上記信号用の接触部露出用開口部７ａに露出する信号用のコンタクト４ａの接触部１に接触するように信号用の接続プラグ２５を接続することで、通信手段である携帯電話に信号用の接続プラグ２５を接続することができる。
【００２８】
また、充電する場合には充電用プラグ（図示せず）を上記充電用の接触部露出用開口部７ａに露出する充電用のコンタクト４ｂの接触部１に接触するように充電用プラグを接続することで、携帯電話に充電することができる。
【００２９】
また、ＤＣジャック部１８には図８のようにＤＣプラグ２７を着脱自在に嵌め込むことができるようにしてある。
【００３０】
図１０には本発明の他の実施形態を示している。すなわち、上記実施形態ではコンタクト４を、略Ｕ字状をした接触部１の一端部から略レ字状をした端子板部３を側方に向けて連出して構成した例を示しているが、本実施形態においては略Ｕ字状をした接触部１の一端部からＵ字状の一片に対して鈍角となるように傾斜した平板状の端子板部３を連出し、この端子板部３の先端部を屈曲して端子部２を設けてある。そして、この構成のコンタクト４も上記実施形態と同様にボディ５の第２の側面８に設けたコンタクト嵌め込み用開口部９からコンタクト４を挿入してコンタクト収納溝部１０に嵌め込むものである。この場合、コンタクト４の略Ｕ字状をした接触部１を接触部収納溝部１１内に収納して接触部１を接触部露出用開口部７に対向させ、傾斜した平板状をした端子板部３の一部を端子板部収納溝部１２に収納させ、端子板部３の先端部の端子部２を含む他の部分がコンタクト嵌め込み用開口部９から突出させるものである。本実施形態においても略Ｕ字状をした接触部１の一端部から斜め側方に向けて先端に端子部２を有する平板状の端子板部３を側方に向けて連出して構成したコンタクト４を、略Ｌ字状をしたコンタクト収納溝部１０に嵌め込むので、嵌め込みに当たって端子部２がボディ５に接触せず、したがって、端子部２の高さを高くしてもコンタクト４組み込み時に端子部２がボディ５に擦れることがなく、この結果、図１０においてＬで示す撓み量及び端子部２の接触力を大きく確保することができるものである。
【００３１】
【発明の効果】
上記のように本発明の請求項１記載の発明にあっては、ボディの一側面である第１の側面に接触部露出用開口部を設けると共に上記接触部露出用開口部に隣接する他側面である第２の側面にコンタクト嵌め込み用開口部を有するコンタクト収納溝部を形成し、コンタクト収納溝部を接触部収納溝部と端子板部収納溝部とが連通する略Ｌ状に形成し、接触部収納溝部を接触部露出用開口部に連通させ、第２の側面に設けたコンタクト嵌め込み用開口部からコンタクト収納溝に嵌め込まれたコンタクトの接触部を接触部収納溝部内に収納すると共に端子板部を端子板部収納溝部に収納し、接触部収納溝部に収納した接触部を接触部露出用開口部に対向させ、端子板部収納溝部に収納した端子板部の先端部の端子部をコンタクト嵌め込み用開口部から突出させてあるので、コンタクトを接触部露出用開口部に隣接する他側面である第２の側面に設けたコンタクト嵌め込み用開口部から嵌め込むことで、コンタクトの接触部を第１の側面に設けた接触部露出用開口部に露出させることができると共に端子板部収納溝部に端子板部を収納して端子部をコンタクト嵌め込み用開口部から突出させることができ、更に、このコンタクトの嵌め込みに当たって端子部がボディに擦れることがないものであり、これにより端子部の高さを高く設定できて、撓み量及び接触力を十分に確保できるものである。
【００３２】
また、コンタクトが一枚の金属フープ材を屈曲切断して形成されたものであり、略Ｕ字状をした接触部の端子板部を連出した方と反対側の片の先端部とＵ状屈曲基部とを除く部分が接触部露出用開口部に露出しているので、接触部露出用開口部からコンタクトの切断端部である接触部の先端が露出せず、このようにコンタクトの切断端部が露出しないので外観が良くなるものであり、また、接触部露出用開口部から接触部の先端及びＵ状屈曲基部が露出しないので、接触部に細いものが引っ掛かるおそれがなく、接触部がめくれ上がることがないものである。
【図面の簡単な説明】
【図１】本発明のコネクターの組み立てを示し、（ａ）はコンタクトをボディに組み込んでいる状態の断面図であり、（ｂ）はコンタクトをボディに組み込んだ状態の断面図である。
【図２】（ａ）は本発明のコネクターの正面図であり、（ｂ）は背面図である。
【図３】（ａ）は同上の平面図であり、（ｂ）は底面図である。
【図４】同上の側面図である。
【図５】（ａ）は図３（ａ）Ｘ−Ｘ線の断面図であり、（ｂ）は図３（ａ）Ｙ−Ｙ線の断面図である。
【図６】同上のマイクロフォン嵌め込み溝部部分を示す断面図である。
【図７】同上のコネクターへのプリント基板の取付けを示す分解図である。
【図８】同上のコネクターへの信号用の接続プラグやＤＣプラグの接続を説明するための説明図である。
【図９】同上のコンタクトをフープ材から折り切りする前の状態を示し、（ａ）は平面図であり、（ｂ）は背面図であり、（ｃ）は側面図である。
【図１０】本発明の他の実施形態の断面図である。
【図１１】従来のコネクターの組み立てを示し、（ａ）はコンタクトをボディに組み込んでいる状態の断面図であり、（ｂ）はコンタクトをボディに組み込んだ状態の断面図である。
【符号の説明】
１  接触部
２  端子部
３  端子板部
４  コンタクト
５  ボディ
６  第１の側面
７  接触部露出用開口部
８  第２の側面
９  コンタクト嵌め込み用開口部
１０  コンタクト収納溝部
１１  接触部収納溝部
１２  端子板部収納溝部
【図１】
0004123713.tif 000002
【図２】
0004123713.tif 000003
【図３】
0004123713.tif 000004
【図４】
0004123713.tif 000005
【図５】
0004123713.tif 000006
【図６】
0004123713.tif 000007
【図７】
0004123713.tif 000008
【図８】
0004123713.tif 000009
【図９】
0004123713.tif 000010
【図１０】
0004123713.tif 000011
【図１１】
0004123713.tif 000012